(57)【要約】  本発明の無線通信システムは一次局から二次局へデータパケットを送信する通信チャネルを具える。動作中、二次局はデータパケットの検出時に肯定応答信号を一次局に送信して受信パケットの状態を指示し（４０８）、タイマをリセットする（４０６）。タイマが動作している間、二次局はアップリンク送信の特性を変更する。一実施例では、この変更は、二次局が、データパケットを送信できたであろう各時間にデータパケットの指示が受信されない場合に否定応答を送信するものとする（４１２）。他の実施例では、この変更は、二次局が一次局へのチャネル品質情報の送信に関するパラメータを変更することにある。
2005510118.tif 000002
【特許請求の範囲】
【請求項１】
一次局から二次局へデータパケットを送信する通信チャネルを有する無線通信システムであって、前記二次局はデータパケットを受信する受信手段と、受信したデータパケットの状態を示す信号を前記一次局へ送信する肯定応答手段とを有する無線通信システムにおいて、前記二次局は、データパケットが当二次局へ送信された指示の検出時にタイマをリセットする手段と、該タイマが終了するまでアップリンク送信の特性を変更する手段とを具えることを特徴とする無線通信システム。
【請求項２】
前記データパケットの送信の指示はデータパケット送信用のチャネルとは別のチャネルで送信することを特徴とする請求項１記載の無線送信システム。
【請求項３】
一次局から二次局へデータパケットを送信する通信チャネルを有する無線通信システム用の一次局であって、データパケットを前記二次局へ送信する手段と、前記二次局から受信データパケットの状態を示す信号を受信する手段と、前記二次局によるデータパケットの受信の肯定応答の受信時にタイマをリセットする手段と、タイマが終了するまでアップリンク送信の取り扱いを変更する手段とを具えることを特徴とする一次局。
【請求項４】
データパケットを送信できたであろう時にデータパケットが送信されなかった場合に否定応答を受信する手段と、受信した信号が肯定応答か否定応答かを決定するしきい値を設定する手段と、前記しきい値を前記タイマが動作している間は前記タイマが終了した後に使用する値と比較して異なる値に設定する手段とを具えることを特徴とする請求項３記載の一次局。
【請求項５】
前記タイマの終了後にパケットが二次局へ送信されたら、前記しきい値を否定応答信号より固定応答信号に近づけて設定する手段を具えることを特徴とする請求項４記載の一次局。
【請求項６】
一次局から二次局へデータパケットを送信する通信チャネルを有する無線通信システム用の二次局であって、一次局からのデータパケットを受信する受信手段と、受信したデータパケットの状態を示す信号を前記一次局へ送信する肯定応答手段とを有する二次局において、データパケットが当二次局へ送信された指示の検出時にタイマをリセットし、タイマが終了するまでアップリンク送信の特性を変更する手段を具えることを特徴とする二次局。
【請求項７】
誤り訂正情報を含むデータパケットの送信の後続の指示が正しく受信されるまで、前記タイマのリセットを遅らせる手段を具えることを特徴とする請求項６記載の二次局。
【請求項８】
データパケットを送信できる時にデータパケットの送信が検出されない場合に否定応答を送信する手段を具え、この否定応答は前記タイマが終了するまで送信されるのみであることを特徴とする請求項６または７記載の二次局。
【請求項９】
前記タイマの終了後に受信した第１パケットの肯定応答を前記タイマが動作している間の後続のパケットの肯定応答より高い電力で送信する手段を具えることを特徴とする請求項７または８記載の二次局。
【請求項１０】
肯定及び否定応答をほぼ同一の電力で送信する手段を具えることを特徴とする請求項７〜９の何れかに記載の二次局。
【請求項１１】
データパケットの送信の指示が検出されない場合には否定応答を第１の低電力で送信し、データパケットの送信の指示は受信されたがデータパケットは受信されない場合には否定応答を第２の高電力で送信する手段を具えることを特徴とする請求項７〜９の何れかに記載の二次局。
【請求項１２】
データパケットが送信された指示に応答して他のタイマをリセットする手段と、前記タイマが終了するまで肯定応答を繰り返す手段と、前記他のタイマが終了するまで否定応答を繰り返す手段とを具えることを特徴とする請求項６記載の二次局。
【請求項１３】
前記他のタイマの持続時間は前記タイマの持続時間より大きいことを特徴とする請求項１２記載の二次局。
【請求項１４】
使用可能な信号タイプは直前に受信されたパケットより前に受信されたパケットの再送信要求を表す回帰信号を含むことを特徴とする請求項８〜１３の何れかに記載の二次局。
【請求項１５】
前記タイマが動作している間、前記一次局へのチャネル品質情報の送信に関するパラメータを変更する手段を具えることを特徴とする請求項６〜１４の何れかに記載の二次局。
【請求項１６】
前記パラメータは、チャネル品質情報を一次局へ送信する速度、一次局へ送信するチャネル品質情報のフォーマット、及びチャネル品質情報を一次局へ送信する電力のうちの１つ以上であることを特徴とする請求項１５記載の二次局。
【請求項１７】
否定応答の送信に関する前記タイマ及びチャネル品質情報の送信に関する前記タイマは同一であることを特徴とする請求項１５または１６記載の二次局。
【請求項１８】
複数の一次局とほぼ同時に通信する手段と、前記一次局の各々からの電力制御コマンドを受信する手段と、前記一次局の任意の１つからのデータパケットを受信する手段とを具える請求項６〜１７の何れかに記載の二次局において、アップリンク送信の電力を、前記タイマが動作している間はパケットを送信する一次局から受信した電力制御コマンドに依存して設定し、前記タイマが終了したときはすべての一次局から受信した電力制御コマンドに依存して設定する手段を具えることを特徴とする二次局。
【請求項１９】
一次局から二次局へデータパケットを送信する通信チャネルを有する無線通信システムであって、前記二次局はデータパケットを受信し、受信したデータパケットの状態を示す肯定応答信号を前記一次局へ送信する無線通信システムを動作させる方法において、前記二次局は、データパケットが当二次局へ送信された指示の検出時にタイマをリセットし、タイマが終了するまでアップリンク送信の特性を変更することを特徴とする無線通信システム動作方法。
【発明の詳細な説明】
【技術分野】
【０００１】
本発明は、無線通信システム、このようなシステムに使用する一次局及び二次局及びこのようなシステムを動作させる方法に関するものである。本明細書は特にユニバーサルモバイル通信システム（ＵＭＴＳ）に関連して説明するが、このような技術は他の移動体無線システムに等しく適用し得るものと理解されたい。
【背景技術】
【０００２】
移動体通信の分野では、要求に応じて大きなブロックのデータを移動局に適度の速度でダウンロードする機能を有するシステムの需要が高まっている。このようなデータは、例えばインターネットからのウエブページ（場合によりビデオクリップなどを含む）とすることができる。典型的には移動局はこのようなデータを断続的に要求するのみであるため、固定の帯域幅の専用リンクは適切でない。ＵＭＴＳにおいてこの要求を満たすために、ハイスピードダウンリンクパケットアクセス（ＨＳＤＰＡ）手法が開発され、この手法は４Ｍｂｐｓまでのパケットデータの移動局への転送を容易にする。
【０００３】
パケットデータ通信システムの慣例の要素は、誤って受信されるデータパケットを処理するＡＲＱ（オートマチックレピートリクエスト）プロセスである。例えば、ＨＳＤＰＡにおける基地局（ＢＳ）から移動局（ＭＳ）へのダウンリンクについて考察する。ＭＳは、データパケットを受信するとき、例えばサイクリックリダンダンシーチェック（ＣＲＣ）情報を用いてそのパケットが損傷されているか決定する。次に、ＭＳはこの目的のために割り当てられたフィールドで信号をＢＳへ送信する。即ち、第１の信号を肯定応答（ＡＣＫ）として用いてパケットが正しく受信されたことを示し、第２の信号を否定応答（ＮＡＣＫ）として用いてパケットが受信されたが損傷されていることを示す。これらの信号は、例えば異なる電力で送信される異なるコードワード又は同一のコードワードとすることができる。ＢＳはＡＣＫ／ＮＡＣＫメッセージを正しく復号できるように判定しきい値を適切な位置に設定する必要がある。
【０００４】
パケット送信は一般に断続的であるから、データパケットが受信されなかった場合にはＭＳによりＡＣＫ／ＮＡＣＫフィールドに何も送信されないため、不連続送信（ＤＴＸ）を利用することができる。通常のシナリオでは、ＭＳが送信されたデータパケットの検出を失敗する確率は１％とすることができる。この場合には、ＢＳはＤＴＸをＮＡＣＫであるかのように解釈してパケットをＭＳへ再送信することができるようにするのが望ましい。ＤＴＸをＮＡＣＫと解釈することは、ＢＳにおける判定しきい値をＡＣＫ信号の方にオフセットさせることにより、またパケットが検出されてもされなくても、はＭＳが正しいＣＲＣを有するパケットに対応しないすべてのＡＣＫ／ＮＡＣＫフィールドにＮＡＣＫを送信することにより達成することができる。
【０００５】
ＭＳがすべてのＡＣＫ／ＮＡＣＫフィールドにて送信を行なうことには、アップリンク妨害がかなり増大するのに加えて、ＭＡの電池寿命が短くなる問題がある。これは、パケットトラヒックが（しばしば起り得る）バースト性のときに特に問題となり、バースト性トラヒックの場合にはＭＳはパケットが送信されてこなかったとき多数のＡＣＫ／ＮＡＣＫフィールドにて送信を行なうことが必要とされる。
【０００６】
ＡＣＫコマンドとＮＡＣＫコマンドを判別するしきい値をオフセットさせる場合の問題は、ＡＣＫがＮＡＣＫと解釈される確率を許容し得る低い値にするためにはＡＣＫコマンドの送信電力を（以下に検討するように）増大させる必要がある点にある。良い設計の通信システムではＭＳがＡＣＫを送信する確率はＮＡＣＫを送信する確率より著しく大きいので、ＡＣＫ送信電力の増大はＡＣＫ／ＮＡＣＫフィールドに必要とされる平均送信電力を著しく増大する。
【０００７】
ＡＣＫをＮＡＣＫと誤解釈する確率を１％以下とし、ＮＡＣＫをＡＣＫと誤解釈する確率が０．０１％以下とする必要がある代表的な通信システムについて考察する。ＭＳがパケットを検出しない確率が１％以下であるものと仮定すると、この場合には（ＭＳがパケットを受信しない確率とそのＤＴＸがＡＣＫと誤解釈される確率の合成確率をＮＡＣＫがＡＣＫと誤解釈される確率と同一、即ち０．０１％以下にするためには）ＤＴＸをＡＣＫと誤解釈する確率を１％以下にする必要がある。代表的な移動通信チャネルに対するシミュレーションは、ＤＴＸをＡＣＫと誤解釈する確率を１％以下にするのに十分な判定しきい値のＡＣＫ側へのオフセットは、ＡＣＫ電力をＮＡＣＫ電力よりも大きくすることを要求する作用を有することを示した。つまり、ＢＳ判定しきい値のオフセットにより、ＡＣＫ／ＮＡＣＫフィールドに必要とされるピーク電力はＮＡＣＫ信号よりもＡＣＫ信号により決定されることになる。
【発明の開示】
【０００８】
本発明の目的は、上述した問題を解決することにある。
本発明の第１の特徴は、一次局から二次局へデータパケットを送信する通信チャネルを有する無線通信システムであって、前記二次局はデータパケットを受信する受信手段と、受信したデータパケットの状態を指示する信号を前記一次局へ送信する肯定応答手段とを有する無線通信システムにおいて、前記二次局は、データパケットが当二次局へ送信された指示の検出時にタイマをリセットし、タイマが終了するまでアップリンク送信の特性を変更する手段を具える点にある。
【０００９】
前記タイマのリセットは、それがまだ動作していない場合はそのタイマを始動させる、或は、既に動作しているタイマを再始動することを意味する。一実施例では、前記変更は、データパケットの何の指示も検出されない場合には、データパケットを送信できたであろう時に二次局が否定応答を送信するものとする。他の実施例では、前記変更は、二次局が一次局へのチャネル品質情報の送信に関するパラメータを変更するものとする。これらの変更により、アップリンクチャネル特性をアップリンク妨害、ピーク電力レベル及び電池寿命に対する要件に依存して最適化することができる。タイマは、典型的には、所定の単位、例えばミリ秒単位、フレーム単位、タイムスロット単位、メッセージ単位又は他の適当な単位でカウントするカウンタとして実現する。
【００１０】
本発明の第２の特徴は、一次局から二次局へデータパケットを送信する通信チャネルを有する無線通信システム用の一次局であって、データパケットを二次局へ送信する手段と、二次局から受信データパケットの状態を示す信号を受信する手段と、二次局によるデータパケットの受信の肯定応答の受信時にタイマをリセットし、該タイマが終了するまでアップリンク送信の取り扱いを変更する手段とを具える点にある。
【００１１】
本発明の第３の特徴は、一次局から二次局へデータパケットを送信する通信チャネルを有する無線通信システム用の二次局であって、一次局からのデータパケットを受信する受信手段と、受信したデータパケットの状態を示す信号を一次局へ送信する肯定応答手段とを有する二次局において、データパケットが当二次局へ送信された指示の検出時にタイマをリセットする手段と、該タイマが終了するまでアップリンク送信の特性を変更する手段とを具える点にある。
【００１２】
本発明の他の実施例では、タイマはチャネル品質情報を一次局へ報告する頻度を制御するのに使用することもできる。
【００１３】
本発明の第４の特徴は、一次局から二次局へデータパケットを送信する通信チャネルを有する無線通信システムであって、前記二次局はデータパケットを受信し、受信したデータパケットの状態を示す肯定応答信号を前記一次局へ送信する無線通信システムを動作させる方法において、前記二次局は、データパケットが当二次局へ送信された指示の検出時にタイマをリセットし、タイマが終了するまでアップリンク送信の特性を変更する点にある。
【発明を実施するための最良の形態】
【００１４】
図面を参照して本発明の実施例について説明するが、これらは一例にすぎない。図面において、対応する要素を示すために同一の参照番号を用いている。
図１において、無線通信システムは、一次局（ＢＳ）１００と、複数の二次局（ＭＳ）１１０を具える。ＢＳ１００は、マイクロコントローラ（μＣ）１０２と、アンテナ手段１０６に接続されたトランシーバ手段（Ｔx/Ｒx）１０４と、送信電力レベルを変更する電力制御手段（ＰＣ）１０７と、ＰＳＴＮや他の適当なネットワークに接続するための接続手段１０８とを具える。各ＭＳ１１０は、マイクロコントローラ（μＣ）１１２と、アンテナ手段１１６に接続されたトランシーバ手段（Ｔx/Ｒx）１１４と、送信電力レベルを変更する電力制御手段（ＰＣ）１１８とを具える。ＢＳ１００からＭＳ１１０への通信はダウンリンクチャネル１２２で行なわれ、ＭＳからＢＳへの通信はアップリンクチャネル１２４で行なわれる。
【００１５】
既知のstop-and-wait ＡＲＱ手法の動作の一例を図２に示す。Ｐn（ｎは１ビットシーケンス番号）として示すデータパケット２０２がＢＳ１００からＭＳ１１０へダウンリンク（ＤＬ）１２２により割り当てられたタイムスロットで送信される。シーケンス番号０を有する第１のデータパケットＰ0はＭＳ１１０により損傷された状態で受信されるため、ＭＳ１１０は肯定及び否定応答送信用に用意されたフィールドで否定応答（Ｎ）２０４を送信する。これに応答して、ＢＳ１００は第１のデータパケット２０２を再送信する。今度はこのパケットがＭＳ１１０により正しく受信され、ＭＳ１１０は肯定応答（Ａ）２０６を送信する。これに応答して、ＢＳ１００はシーケンス番号１を有する次のパケットを送信する。ＢＳ１００は、所定のタイムアウト期間内に何の応答も受信しない場合（ＭＳ１１０がパケットを全く受信しなかった場合または応答が行方不明になった場合）にも、データパケット２０２を再送信する。ＭＳ１１０が前に送信されたパケット２０２を実際に受信した場合、受信パケット２０２は前パケットと同じシーケンス番号を有するので、ＭＳ１１０はこのパケットを再送信であると決定することができる。
【００１６】
マルチチャネルＡＲＱ手法の使用により改善されたスループットを得ることができる。既知のように動作する４チャネルＡＲＱ手法の一例を図３に示す。Ｐn（ｎはシーケンス番号）として示すデータパケット２０２がＢＳ１００からＭＳ１１０へダウンリンクチャネル（ＤＬ）により順番に送信される。各パケット２０２は、最初のパケットから出発して、順に論理チャネル（ＣＨ）に割り当てられる。従って、パケットＰ1はチャネル1に、パケットＰ2はチャネル２に割り当てられ、以下同様である。ＡＲＱは各チャネルごとに別々に行なわれる。
【００１７】
図示のシナリオでは、第1のデータパケットＰ1は第1の論理チャネルを経て送信され、ＭＳ１１０により正しく受信され、ＭＳ１１０は肯定応答（Ａ1）２０６をアップリンクチャネル１２４で送信する。従って、チャネル１が次に送信用にスケジュールされるとき、送信待ちの次のパケットＰ5が選択されＭＳ１１０へ送信される。同様に、第２のデータパケットＰ2は第２の論理チャネルを経て送信される。しかし、このパケットはＭＳ１１０により正しく受信されず、ＭＳ１１０は否定肯定（Ｎ2）２０４を送出する。従って、チャネル２が次に送信用にスケジュールされるとき、パケットＰ2が再送信される。今度はこのパケットが正しく受信され、肯定応答２０６がアップリンクチャネル１２４で送出され、これによりチャネル２が開放され後続のパケット２０２を送信する。
【００１８】
パケットデータ伝送の典型的な断続性が与えられるものとすれば、殆どの用途において、長時間に亘るＤＴＸがＡＣＫ／ＮＡＣＫフィールドに適用される。さらに、良い設計のシステムに対しては、ＮＡＣＫ２０４はＡＣＫ２０６より著しく低い頻度にすべきである。しかし、先に簡単に検討したように、ＤＴＸをＮＡＣＫと解釈するようにＢＳ１００を構成することと関連していくつかの問題がある。
【００１９】
これらの問題は、本発明のシステムでは、ＭＳ１１０を２つの状態：即ちパケット送信が予測される第１状態と、パケット送信が予測されない第２状態で動作するように構成することにより解消される。これらの２つの状態の間の遷移はタイマにより制御される。タイマは、典型的には、所定の単位、例えばミリ秒単位、フレーム単位、タイムスロット単位、メッセージ単位又は他の適当な単位でカウントするカウンタとして実現する。
【００２０】
このようなシステムの動作を図４に示すフローチャートを参照して説明する。この方法は、ステップ４０２において、ＭＳ１１０がデータパケット２０２を受信する用意ができたときに開始する。テストステップ４０４において、ＭＳ１１０は当ＭＳのためのデータパケット２０２がこのパケットを送信し得るタイムスロットで送信されたか決定する。データパケット２０２が検出される場合、テスト４０４がパスされ、ステップ４０６でタイマがリセットされ、ステップ４０８で肯定応答２０６が送信され、ＭＳ１１０はテストステップ４０４に戻り、データパケット２０２の次の適切なスロットを検査する。タイマをリセットするとはタイマがまだ動作していない場合にはタイマを始動すること、或は、既に動作しているタイマを再始動することを意味する。
【００２１】
パケットが検出されない場合、テスト４０４は失敗し、次のテスト４１０が行われ、タイマが動作しているか決定される。タイマが動作している場合には、テスト４１０がパスされ、ＭＳ１１０はステップ４１２で否定応答２０４を対応するＡＣＫ／ＮＡＣＫフィールドで送信し、次いでテスト４０４に戻る。タイマが動作していない場合には、テスト４１０は失敗し、ＭＳ１１０は直接テスト４０４に戻る。
【００２２】
ＭＳ１１０は、パケットが当ＭＳに任意のタイムスロットで送信されうるものと仮定することができ、またパケット２０２を受信した後の、ＭＳ１１０に何のパケットも送信できない期間（タイマ期間より著しく短い）があり、従ってＭＳ１１０は、ＭＳ１１０の限定された機能に依存して、ＡＣＫ／ＮＡＣＫフィールドで送信しないものと仮定することができる。タイマが停止すると、ＭＳはパケット２０２が次に検出されるまで、ＡＣＫ／ＮＡＣＫフィールドでの送信を停止する。
【００２３】
この手法によれば、ＢＳ１００はその判定しきい値を調整して、ＭＳ１１０の送信電力を最適化することができる。本発明の一実施例では、ＢＳ１００はその判定しきい値を一つのシーケンスの第１パケットＰ0に対してＡＣＫ信号の方へオフセットさせて、ＤＴＸをＮＡＣＫと解釈する確率を増大させる。これは、第1パケットのＡＣＫ２０６がＮＡＣＫ２０４と解釈される確率を増大する効果も有する。ＢＳ１００は第1パケットＰ0に関してＡＣＫ２０６を検出するやいなや、次の判定用のしきい値をＤＴＸレベルに向けリセットし、ＢＳ１００はＭＳ１１０内で動作しているタイマに対応する自分のタイマを始動する。
【００２４】
その結果として、ＤＴＸをＡＣＫ２０６と解釈する問題が各シーケンスの第１パケットＰ0を除くすべてのパケット２０２に対して避けられ、これにより、要件に依存して、ＡＣＫ／ＮＡＣＫ電力レベルを最適化して妨害を低減する或はセル範囲または電池寿命を増大することができる。
【００２５】
本発明の一実施例では、ＡＣＫ／ＮＡＣＫフィールドに対する平均電力を最小にする。これは、アップリンク妨害を最小にする或はＭＳ１１０の電池寿命を最大にするのが望ましいシステムに有用である。この実施例では、判定しきい値をＤＴＸレベルに近づけてＡＣＫ電力の低減とＮＡＣＫ電力の増大を一緒に得る。本出願人に係る同時継続英国出願第０１２６４２１．７号はＡＣＫ及びＮＡＣＫの復号におけるエラーの相対確率をそれぞれの送信電力を変化させることにより制御する技術を開示しており、この技術を本実施例にて適用することができる。
【００２６】
本発明の他の実施例では、ＡＣＫ／ＮＡＣＫフィールドに対するピーク電力要件を最小にする。これは、パケットアクセスのセル範囲がＡＣＫ／ＮＡＣＫフィールドに対するピーク電力要件により制限されるシステムに有用である。この場合には、ＡＣＫ及びＮＡＣＫ送信電力は等しく設定し、ＢＳ１００におけるしきい値を所望のエラーレートを与えるように位置させる。
【００２７】
本発明の好適実施例では、ＭＳ１１０は一つのシーケンスの第１ＡＣＫ２０６の送信電力を増大して、ＡＣＫをＮＡＣＫと誤解釈する確率が第１パケットＰ0に対してＢＳ１００により与えられる判定しきい値のオフセットによりあまり増大しないようにする。
【００２８】
本発明の他の好適実施例では、タイマは所定数のタイムスロットの間動作し、その期間中タイムスロット数以上のパケットがＭＳ１１０に送信されない。この期間中、ＡＣＫ２０６またはＮＡＣＫ２０４が各タイムスロットで反復される。タイマが停止すると、ＡＣＫ２０６の送信も停止する（これにより、ＭＳ１１０が次のパケットの検出に失敗しＡＣＫを送出し続け、その結果ＭＳ１１０が検出に失敗したパケットを正しく受信したものとＢＳ１００が信じることが防止される）。しかし、ＮＡＣＫ２０４の送信は停止しないで、パケットが正しく受信されるまで何の問題も生ずることなく続けることができる。
【００２９】
実際には、送信電力を節約するとともに妨害を制限するために、反復するＮＡＣＫ２０４の最大数を制限するのが望ましい。この制限は第２のタイマにより決定することができ、その最大値は予め決めるか、ＢＳ１００により信号される高位レイヤパラメータに従って設定するか、或はＢＳ１００とＭＳ１１０との間のネゴシエーションにより決めることができる。典型的には、第２のタイマは所定数のＮＡＣＫの送信後に停止するように設定する。このような制限の使用は、ＢＳ１００がパケットが正しく受信されたかどうかを判定する前にどのぐらい待てるを知り得る利点を有する。第２のタイマは前記タイマとは異なる値を取ることができ、必要に応じ異なる単位でカウントすることもできる。
【００３０】
この実施例は、ＡＣＫ信号とＮＡＣＫ信号に対し異なる電力レベルを設定する他の実施例とともに使用することもできる。ＢＳ１００は、複数のＡＣＫ／ＮＡＣＫ反復の組合せ、最強信号の選択及び受信信号の多数決を含む種々の方法でＡＣＫ２０６が信号されたかＮＡＣＫ２０４が信号されたかを決定することができる。規定のサービス品質を達成するために、その判定しきい値を処理すべきＡＣＫ／ＮＡＣＫの数に従ってダイナミックに調整することができる。
【００３１】
ＭＳ１１０がＡＣＫ２０６を送信する（場合により反復送信）とき、次の動作は最後のＡＣＫ後にＤＴＸを送信する動作か、或は次のパケットが受信されるまでまたはＮＡＣＫタイマが終了するまで、ＮＡＣＫの送出に戻る動作とすることができる。後者のオプションの方が一般に好適である。その理由は、（妨害レベル及びＭＳ１１０の電力消費の増大も考慮する必要があるが、）後者のオプションではＤＴＸ状態の送信が避けられ、ＢＳ１００は判定しきい値をオフセットする必要が避けられ、ＡＣＫ送信の電力を低減することができる。
【００３２】
本発明はＮＡＣＫ信号以外のアップリンクシグナリングに適用することもできる。最も一般的な形態では、本発明の技術は、アップリンクシグナリングの特性を、シグナリング前の所定の期間中にパケットが検出されたか否かに依存して変更することにある。
【００３３】
この一般的な応用例として、本発明の他の実施例では、ＭＳ１１０はチャネル品質情報（ＣＱＩ）の送信をパケット２０２の受信期待値に依存して変更させる。ＣＱＩはダウンリンクのチャネル品質を例えば信号対妨害比（ＳＩＲ）で測定することにより決定することができる。ＣＱＩの送信に対する変更は、ＣＱＩを送信する周波数並びに使用する送信フォーマット（ビット数）及び送信電力レベルを変更するものとし得る。例えば、ＭＳ１１０はＣＱＩを、パケット２０２の受信後にタイマにより決定された期間の間、使用可能な各ＣＱＩフィールドで送信することができる。所定の期間後、ＭＳ１１０は別のパケットが受信されるまで、ＣＱＩを送信する周波数を低減することができる。
【００３４】
ＮＡＣＫシグナリングとＣＱＩシグナリングの双方に対して変更を行なう実施例では、ＣＱＩを報告する周波数を制御するのに使用するタイマとＮＡＣＫ送信を制御するのに使用するタイマを同一にすることができ、また異なる値を有するものとすることができる。これらの値は（例えばＭＳ機能として）予め決めることができ、また高位プロトコルレイヤによりＭＳ１１０にシグナリングすることもできる。
【００３５】
以上のディスカッションは、ＭＳ１１０がパケット２０２を受信したかどうかを決定することに関連する。ある種のシステム、例えばＵＭＴＳでは、ＭＳ１１０に予定されたパケットの存在がパケットインジケータメッセージによりパケットインジケータチャネル及び／又はパケット送信チャネルとは別個の制御チャネルでシグナリングされる。このような実施例では、タイマを始動するトリガは、パケットインジケータの検出に加えて、関連するダウンリンク制御チャネル（ＣＲＣを含む）の正しい復号を必要とする。これは、パケットインジケータの誤検出によるタイマのスプリアストリガを避けるのに役立つ。
【００３６】
本出願人に係る同時継続国際特許出願ＰＣＴ／ＩＢ０２／０２８３４では、ＢＳがＮＡＣＫ２０４をＡＣＫ２０６と誤解釈する場合から回復させる物理層のメカニズムを開示している。このメカニズムは追加のコードワードＲＥＶＥＲＴ(回帰)を使用し、これで、ＭＳ１１０が前のパケットの再送信を予測していたときに新パケット２０２の送信を受けたことをＢＳ１００に知らせる。この手法の変形例では、２つのＲＥＶＥＲＴコードワードを使用して、新パケットに関してＮＡＣＫまたはＡＣＫを追加供給する。本発明はこのようなＲＥＶＥＲＴコマンドとともに使用することができ、英国特許出願０１２６４２１．７に記載されているように、このコマンドでＮＡＣＫコマンドからの電力オフセットを使用することをシグナリングすることができる。
【００３７】
本発明の他の実施例では、ＭＳ１１０が第１の状態で動作しているとき（パケット送信が予測されるとき）、ＭＳ１１０は、パケットインジケータが検出されたかどうかに依存して、２つの異なるレベルのＮＡＣＫ２０４を送信することができる。例えば、パケットインジケータが受信されなかった場合には、ＭＳ１１０は低電力ＮＡＣＫ２０４を送信して、ＮＡＣＫ２０４がＡＣＫと誤解釈される確率が１％になるようにする（この確率は、ＭＳ１１０がパケットインジケータを受信しない１％の確率と関連して、ＢＳ１００がＮＡＣＫをＡＣＫと解釈する０．０１％の確率を与える）。パケットインジケータが検出された場合には、ＭＳ１１０は高電力ＮＡＣＫ２０４を送信して、ＮＡＣＫがＡＣＫと誤解釈される確率が０．０１％になるようにする。これらの異なるタイプのＮＡＣＫは異なるコードワードの送信により区別することもできる。
【００３８】
他の実施例では、アップリンク電力制御の動作はタイマが終了するまでパケットの検出により変更される。ソフトハンドオーバ状態では、ＭＳ１１０は２つ以上のＢＳ１００（アクティブセットのメンバー）から同時送信を受けることができ、アップリンク送信の電力はアクティブセットのすべてのＢＳからの電力制御コマンドを考慮することにより通常制御される。しかし、ダウンリンクパケットが１つの特定のＢＳから送出されると、当該パケットに応答してシグナリングする任意のアップリンクを当該ＢＳで定める必要がある。従って、当該無線リンクに対し適切な電力を達成するためには、アップリンク送信の電力は主として当該ＢＳからの電力制御コマンドにより決定すべきである。これがため、パケットが所定のＢＳ１００から受信されたとき、タイマをセットし、ＡＣＫ／ＮＡＣＫフィールド、ＣＱＩフィールドまたは全制御チャネルのうちの少なくとも１つの電力をタイマが終了するまで同ＢＳからの電力制御コマンドにより決定する。次のパケットが異なるＢＳから受信される場合には、タイマをリセットし、同ＢＳはアップリンク電力レベルを制御することができる。アップリンク電力制御に対するこれらの変更は、上述したＡＣＫ／ＮＡＣＫまたはＣＱＩ送信に対する他の変更と別個に、或は組み合わせて行なうことができる。
【００３９】
以上の説明はＵＭＴＳ  ＦＤＤ（周波数分割二重化）モードに向けられている。本発明はＴＤＤ（時分割二重化）モードにも適用し得る。この場合には、アップリンク及びダウンリンクチャネルが同じ周波数で異なるタイムスロットを使用する（即ちレシプロカルチャネル）ことによりチャネル情報をシグナリングする必要性が低減する。
【００４０】
種々の役割を演ずるＢＳ１００に関する以上の説明は本発明に関連するものである。実際上、これらのタスクは固定インフラの種々の部分、例えばＭＳ１１０と直接インタフェースする部分である「ノードＢ」の責任または無線ネットワークコントローラ（ＲＮＣ）内の高レベルの部分の責任責任とすることができる。従って、本明細書では、「基地局」または「一次局」の使用は本発明の実施例に含まれるネットワーク固定インフラの種々の部分を含むものと理解されたい。
【００４１】
本明細書を読めば、他の変更が当業者に明らかである。これらの変更は、無線通信システム及びその構成要素の設計、製造及び使用において既知の特徴であって、上述した特徴の代わりに、或は加えて使用することができる特徴も含むものである。
【００４２】
本明細書及び特許請求の範囲に記載において、各構成要素は複数存在する場合も意味する。さらに、「具える」とは記載した以外の構成要素或はステップの存在を除外するものではない。
【図面の簡単な説明】
【００４３】
【図１】無線通信システムのブロック線図である。
【図２】既知のstop-and-wait ARQ手法の動作を示す図である。
【図３】既知のｎチャネルＡＲＱ手法の動作を示す図である。
【図４】本発明のパケットデータ伝送システムを動作させる方法を示すフローチャートである。
【図１】
2005510118.tif 000003
【図２】
2005510118.tif 000004
【図３】
2005510118.tif 000005
【図４】
2005510118.tif 000006
【国際調査報告】
2005510118.tif 000007
2005510118.tif 000008